(57)【特許請求の範囲】
【請求項１】
孔版原紙を製版する製版部と、前記製版された孔版原紙を用いて印刷用紙に転写印刷する印刷部を備え、設定印刷枚数および１回の製版で印刷させる制限枚数を記憶する記憶手段と、印刷動作が開始され累積印刷枚数が前記記憶手段に記憶された前記制限枚数の整数倍に達する毎に該印刷を一時停止させ、前記製版を再度実行させる制御手段と、を具備した孔版印刷装置において、
前記孔版印刷装置は、
前記制限枚数及び前記設定印刷枚数をそれぞれ入力するための入力手段であって、画質が維持可能と判断された枚数として前記制限枚数を操作者が任意に設定できる制限モードの設定状態に前記制御手段が切り替えられた際に前記制限枚数を入力することができる入力手段と、
前記制限枚数及び前記設定印刷枚数をそれぞれ表示する表示手段と、
１回の製版と該１回の製版に基づく前記制限枚数の印刷とからなる一連の動作を連続的に実行させるか否かを選択するための連続設定選択手段と、
前記連続設定選択手段により不実行側が選択されているときに、前記累積印刷枚数が前記制限枚数の整数倍に達する毎に該印刷を一時停止させた一時停止状態で、印刷後の印刷用紙の画像形成状態を見て新たな製版が必要か否かを判断して新たな製版の有無を選択するための選択キーと、
をさらに具備しており、
前記制御手段は、
前記連続設定選択手段により実行側が選択されているときには、前記累積印刷枚数が前記制限枚数に達する毎に前記原稿での前記製版を再度実行させた後に前記印刷をさせ、
前記連続設定選択手段により不実行側が選択されているときには、前記累積印刷枚数が前記制限枚数の整数倍に達する毎に該印刷を一時停止させ、ここで前記選択キーが製版側を選択している場合には前記制限枚数毎に新たな製版を自動実行させるとともに印刷動作再開の操作入力に基づき前記印刷をさせ、前記選択キーが印刷側を選択している場合には印刷動作再開の操作入力に基づき新たな製版を行わずに以前の孔版原紙で同一原稿を印刷させる印刷動作を実行させることを特徴とする孔版印刷装置。
【請求項２】
原稿の画像に基づき孔版原紙を製版する製版部と、前記製版された孔版原紙を用いて印刷用紙に転写印刷する印刷部を備え、設定印刷枚数および１回の製版で印刷させる制限枚数を記憶する記憶手段と、印刷動作が開始され累積印刷枚数が前記記憶手段に記憶された前記制限枚数の整数倍に達する毎に該印刷を一時停止させ、前記原稿での前記製版を再度実行させる制御手段と、を具備した孔版印刷装置において、
前記孔版印刷装置は、
前記制限枚数及び前記設定印刷枚数をそれぞれ入力するための入力手段であって、画質が維持可能と判断された枚数として前記制限枚数を操作者が任意に設定できる制限モードの設定状態に前記制御手段が切り替えられた際に前記制限枚数を入力することができる入力手段と、
前記制限枚数及び前記設定印刷枚数をそれぞれ表示する表示手段と、
１回の製版と該１回の製版に基づく前記制限枚数の印刷とからなる一連の動作を連続的に実行させるか否かを選択するための連続設定選択手段と、
前記連続設定選択手段により不実行側が選択されているときに、前記累積印刷枚数が前記制限枚数の整数倍に達する毎に該印刷を一時停止させた一時停止状態で、印刷後の印刷用紙の画像形成状態を見て新たな製版が必要か否かを判断して新たな製版の有無を選択するための選択キーと、
をさらに具備しており、
前記制御手段は、
前記連続設定選択手段により実行側が選択されているときには、前記累積印刷枚数が前記制限枚数に達する毎に前記原稿での前記製版を再度実行させた後に前記印刷をさせ、
前記連続設定選択手段により不実行側が選択されているときには、前記累積印刷枚数が前記制限枚数の整数倍に達する毎に該印刷を一時停止させ、ここで前記選択キーが製版側を選択している場合には前記制限枚数毎に新たな製版を自動実行させるとともに印刷動作再開の操作入力に基づき前記印刷をさせ、前記選択キーが印刷側を選択している場合には印刷動作再開の操作入力に基づき新たな製版を行わずに以前の孔版原紙で同一原稿を印刷させる印刷動作を実行させることを特徴とする孔版印刷装置。
【発明の詳細な説明】
【０００１】
【発明の属する技術分野】
本発明は、孔版原紙を用いて印刷する孔版印刷装置に係り、特に、多数枚の印刷時においても良好な印刷画像を得ることができる孔版印刷装置に関する。
【０００２】
【従来の技術】
孔版印刷装置は、原稿画像を孔版原紙（マスター）に製版し、このマスターを版胴（ドラム）に装着して印刷する。
このような孔版印刷装置によれば、ドラムを高速回転させることにより多数枚の印刷を短時間で高速に印刷することができる。
【０００３】
【発明が解決しようとする課題】
しかしながら、この孔版印刷装置においても１度に印刷可能な枚数には限度があり、多数枚を印刷すると、印刷画像が低下した。
即ち、印刷枚数が多くなる程、マスター上に製版された細線、罫線が切れたり、ドラムに印刷用紙の紙粉が付着する。
これにより、印刷枚数が増加していくにつれ、印刷用紙上で画像が形成されなくなる箇所が生じ始める。
【０００４】
通常、孔版印刷装置の操作パネル上では、印刷枚数を最大４桁（９９９９枚）まで入力可能になっているが、実際の印刷ではこの最大枚数まで良好な画像状態を維持することはできない。
このため、操作者が多大な枚数を設定し印刷して、印刷枚数の後半側で画質が低下すると、この印刷物が破棄されることもある。
【０００５】
したがって、操作者は、大量な印刷枚数が必要な場合でも、１回の製版、印刷で良好な画質を得ることができ得る枚数を予測しなければならなかった。そして、この枚数を操作パネルに入力して印刷しなければならなかった。
しかし、この操作では、操作者が当初必要とした枚数を得ることができない。このため、操作者は、装置が停止した後に、不足分の枚数を設定し新たに製版及び印刷しなければならず、不便であった。
【０００６】
本発明は、上記課題を解決するためになされたものであり、印刷枚数が増大しても入力された印刷枚数の印刷を良好な画質で得ることができる孔版印刷装置を提供することを目的としている。
【０００７】
【課題を解決するための手段】
上記目的を達成するため、本発明の孔版印刷装置は、請求項１記載のように、孔版原紙を製版する製版部と、前記製版された孔版原紙を用いて印刷用紙に転写印刷する印刷部を備え、設定印刷枚数および１回の製版で印刷させる制限枚数を記憶する記憶手段と、印刷動作が開始され累積印刷枚数が前記記憶手段に記憶された前記制限枚数の整数倍に達する毎に該印刷を一時停止させ、前記製版を再度実行させる制御手段と、を具備した孔版印刷装置において、
前記孔版印刷装置は、
前記制限枚数及び前記設定印刷枚数をそれぞれ入力するための入力手段であって、画質が維持可能と判断された枚数として前記制限枚数を操作者が任意に設定できる制限モードの設定状態に前記制御手段が切り替えられた際に前記制限枚数を入力することができる入力手段と、
前記制限枚数及び前記設定印刷枚数をそれぞれ表示する表示手段と、
１回の製版と該１回の製版に基づく前記制限枚数の印刷とからなる一連の動作を連続的に実行させるか否かを選択するための連続設定選択手段と、
前記連続設定選択手段により不実行側が選択されているときに、前記累積印刷枚数が前記制限枚数の整数倍に達する毎に該印刷を一時停止させた一時停止状態で、印刷後の印刷用紙の画像形成状態を見て新たな製版が必要か否かを判断して新たな製版の有無を選択するための選択キーと、
をさらに具備しており、
前記制御手段は、
前記連続設定選択手段により実行側が選択されているときには、前記累積印刷枚数が前記制限枚数に達する毎に前記原稿での前記製版を再度実行させた後に前記印刷をさせ、
前記連続設定選択手段により不実行側が選択されているときには、前記累積印刷枚数が前記制限枚数の整数倍に達する毎に該印刷を一時停止させ、ここで前記選択キーが製版側を選択している場合には前記制限枚数毎に新たな製版を自動実行させるとともに印刷動作再開の操作入力に基づき前記印刷をさせ、前記選択キーが印刷側を選択している場合には印刷動作再開の操作入力に基づき新たな製版を行わずに以前の孔版原紙で同一原稿を印刷させる印刷動作を実行させることを特徴とする。
【０００８】
また、本発明の孔版印刷装置は、請求項２記載のように、原稿の画像に基づき孔版原紙を製版する製版部と、前記製版された孔版原紙を用いて印刷用紙に転写印刷する印刷部を備え、設定印刷枚数および１回の製版で印刷させる制限枚数を記憶する記憶手段と、印刷動作が開始され累積印刷枚数が前記記憶手段に記憶された前記制限枚数の整数倍に達する毎に該印刷を一時停止させ、前記原稿での前記製版を再度実行させる制御手段と、を具備した孔版印刷装置において、
前記孔版印刷装置は、
前記制限枚数及び前記設定印刷枚数をそれぞれ入力するための入力手段であって、画質が維持可能と判断された枚数として前記制限枚数を操作者が任意に設定できる制限モードの設定状態に前記制御手段が切り替えられた際に前記制限枚数を入力することができる入力手段と、
前記制限枚数及び前記設定印刷枚数をそれぞれ表示する表示手段と、
１回の製版と該１回の製版に基づく前記制限枚数の印刷とからなる一連の動作を連続的に実行させるか否かを選択するための連続設定選択手段と、
前記連続設定選択手段により不実行側が選択されているときに、前記累積印刷枚数が前記制限枚数の整数倍に達する毎に該印刷を一時停止させた一時停止状態で、印刷後の印刷用紙の画像形成状態を見て新たな製版が必要か否かを判断して新たな製版の有無を選択するための選択キーと、
をさらに具備しており、
前記制御手段は、
前記連続設定選択手段により実行側が選択されているときには、前記累積印刷枚数が前記制限枚数に達する毎に前記原稿での前記製版を再度実行させた後に前記印刷をさせ、
前記連続設定選択手段により不実行側が選択されているときには、前記累積印刷枚数が前記制限枚数の整数倍に達する毎に該印刷を一時停止させ、ここで前記選択キーが製版側を選択している場合には前記制限枚数毎に新たな製版を自動実行させるとともに印刷動作再開の操作入力に基づき前記印刷をさせ、前記選択キーが印刷側を選択している場合には印刷動作再開の操作入力に基づき新たな製版を行わずに以前の孔版原紙で同一原稿を印刷させる印刷動作を実行させる
ことを特徴とする構成としてもよい。
【００１１】
上記構成によれば、１回の製版で印刷させる制限枚数が入力されると、この制限枚数が記憶手段に記憶される。
制御手段は、印刷動作が開始された後、印刷枚数が増えてきて、この印刷枚数が記憶手段に記憶された制限枚数に達すると、該印刷を一時停止させる。
そして、同一原稿での製版を再実行させて新たな孔版原紙を作成する。
次に、新たな孔版原紙が印刷部に取り付けられ同一原稿が再度制限枚数に達するまで印刷される。
【００１２】
【発明の実施の形態】
図１は、本発明の孔版印刷装置のブロック図、図２は、装置に設けられるパネル部の平面図である。
装置のパネル部１には操作手段２と、表示手段３が設けられ、操作手段２の操作入力は、制御手段４に入力される。
【００１３】
操作手段２は、複数のキーで構成される。これらキーは、▲１▼印刷枚数等を設定するためのテンキー２ａ、▲２▼後述する制限モードを設定するためのモード許可キー２ｂ、▲３▼連続動作の設定（ＯＮ）／あるいは解除（ＯＦＦ）を選択するための連続設定選択手段としての連続設定キー２ｃ、▲４▼製版動作／あるいは印刷動作を選択する選択キー２ｄ、▲５▼動作を開始させるスタートキー２ｅ、▲６▼動作を停止させるストップキー２ｆなどからなる。
【００１４】
表示手段３は、１回の製版で印刷可能な枚数を表示する第１表示部３ａ、操作入力された全体の設定印刷枚数（及び残り印刷枚数）を表示する第２表示部３ｂを有する。
これら第１，第２の表示部３ａ，３ｂは、７セグメントのＬＥＤを４桁配置してなり、最大９９９９枚の枚数を表示可能である。
【００１５】
制御手段４は、操作キー２の操作に基づき、製版部５及び印刷部６を制御して孔版印刷を実行する。
製版部５は、セットされた原稿を読み取るスキャナ等の原稿読取部と、読み取られた原稿をマスタに感熱製版するサーマルヘッドとを備える。
印刷部６は、印刷用紙を給紙する給紙部、マスタが取り付けられ回転により印刷用紙に印刷するドラム、ドラムで印刷された印刷用紙を排紙する排紙部とを備える。
この制御手段４は、中央処理部を構成するＣＰＵ４ａ、記憶手段を構成するＲＯＭ４ｂ，ＲＡＭ４ｃ、Ｉ／Ｆなどのハードウェアと、製版印刷動作の制御プログラムで構成される。
【００１６】
次に、上記構成における設定動作を図３のフロ−チャ−トを用いて説明する。この制御手段４は、モード許可キー２ｂの押下で、制限モードの設定状態に切り替える（ＳＰ１）。
この設定入力待ちでは、１枚（１回）の製版で実行する制限枚数がテンキー２ａで入力され、第１表示部３ａにこの枚数を表示する（ＳＰ２）。
【００１７】
この制限枚数は画質が維持可能な限度（即ち、画質が落ちると判断した）枚数が設定される。ここでは、例えば２０００枚が設定、表示される。
次に、再度モード許可キー２ｂが押下されると（ＳＰ３-YES）、この制限枚数をレジスタＡに格納する（ＳＰ４）。レジスタＡは、ＣＰＵ４ａ，あるいはＲＡＭ４ｃの所定エリアである。ここでは、前記２０００枚が格納される。
これにより、制限モードでの制限枚数が設定完了する（ＳＰ５）。この設定により装置は、以降、制限モードで製版、印刷動作する。
【００１８】
上記制限モードの設定操作は、操作者あるいは管理者が所定の時期に設定することができる。
即ち、装置の管理者による設定によれば、装置を常時制限モードで動作させる。一方、操作者が任意に設定すれば、この操作者が使用する際のみ設定した制限モードで動作できるようになる。
【００１９】
次に、この制限モードでの装置の動作を図４及び図５のフロ−チャ−トを用いて説明する。
（連続設定キー２ｃがＯＮされるとき）
まず、操作者が原稿を装置の原稿読取部にセットする（ＳＰ１０）。
次に、テンキー２ａで設定印刷枚数を操作入力すると、この入力された設定印刷枚数が第２の表示部３ｂに数値表示される（ＳＰ１１）。ここで、例えば６０００枚が設定、表示される。
【００２０】
次に、スタートキー２ｅが押下されると（ＳＰ１２-YES）、設定された印刷枚数をレジスタＢおよびレジスタＣに格納する（ＳＰ１３）。
次に、連続設定キー２ｃの押下の有無（ＯＮ／ＯＦＦ状態）が検出される（ＳＰ１４）。
【００２１】
連続設定キー２ｃが押下（ＯＮ）されている（ＳＰ１４-YES）場合には、まず、製版動作を開始する（ＳＰ１５）。
製版部５はスキャナで原稿を読取る。そして、読み取った画像をサーマルヘッドでマスタに感熱製版する。その後、印刷部６は、製版されたマスタをドラムに巻き付ける。
次に、印刷動作を開始する（ＳＰ１６）。給紙部が１枚印刷用紙を給紙し、回転するドラム部分で印刷した後排紙部に排紙する。
【００２２】
制御手段４は、１枚の印刷により、レジスタＣから１を減算し、レジスタＣを更新する（ＳＰ１７）。同時に第２の表示部３ｂは、表示していた枚数から１枚減算した枚数を表示する。このとき、上記例では５９９９枚となる。
【００２３】
以上の印刷動作は、操作者が入力した印刷枚数（６０００枚）を印刷完了するまで継続される。即ち、（ＳＰ１８-YES）を満たすまでの間は、ＳＰ１９に移行し印刷枚数の印刷が連続実行される。
【００２４】
次に、制御手段４は、制限枚数に達したか否かを判断する（ＳＰ１９）。  ここでは、印刷終了枚数、つまりレジスタＢの値からレジスタＣの値を減じた値が設定された制限枚数Ａのｎ倍に達したか否かが判断される。
例えば、制限枚数は２０００枚であるから、累積印刷枚数が２０００枚に達する迄の間は（ＳＰ１９-NO ）、ＳＰ１６に移行して印刷動作を連続させる。
【００２５】
一方、累積印刷枚数が２０００枚になったときには（ＳＰ１９-YES）、この１回（１枚）の製版による印刷を一旦中止させる。
そして、ＳＰ１５に移行し、製版部５での製版動作を再度実行させる。この製版動作では、前記同一原稿を再度読取って前回同様のマスタを製版する。
これにより、１回（１枚）の製版での印刷は、制限枚数で設定した２０００枚迄となる。
【００２６】
上記入力された設定印刷枚数は６０００枚であるから、合計３回の製版動作が行なわれることとなり、２０００枚づつの連続印刷を計３回行なって印刷が終了する（ＳＰ１８-YES）。
このように、連続設定キー２ｃが押下された場合、装置は全設定印刷枚数に達するまでの間の印刷動作を自動実行する。
【００２７】
（連続設定キー２ｃがＯＦＦのとき）
次に、連続設定キー２ｃがＯＦＦの場合の装置の動作を説明する。
図４記載のＳ１０〜ＳＰ１３までの動作は、前記同様である。
次に、連続設定キー２ｃが押下されていない（ＯＦＦ）ことがＳＰ１４で検出されると、図６のフロ−チャ−ト記載の動作が実行される。
【００２８】
まず、上記同様に製版動作を開始する（ＳＰ２１）。
次に、操作者によるスタートキー２ｅの押下待ちとなる（ＳＰ２２）。
そして、スタートキー２ｅが押下されることにより、印刷動作を開始する（ＳＰ２３）。
【００２９】
制御手段４は、１枚の印刷により、レジスタＣから１を減算し、レジスタＣを更新する（ＳＰ２４）。同時に第２の表示部３ｂは、表示していた枚数から１枚減算した枚数を表示する。このとき、上記例では５９９９枚となる。
そして、操作入力された設定印刷枚数（６０００）枚の印刷完了が判断される（ＳＰ２５）。
【００３０】
設定印刷枚数に達しない迄（ＳＰ２５-NO ）においては、次に、制限枚数に達したか否かが判断される（ＳＰ２６）。
ここでは、レジスタＢの値からレジスタＣの値を減じた値が設定された制限枚数Ａのｎ倍に達したか否かが判断される。
例えば、制限枚数は２０００枚であるから、累積印刷枚数が２０００枚に達する迄の間は（ＳＰ２６-NO ）、ＳＰ１６に移行して印刷動作を連続させる。
【００３１】
一方、累積印刷枚数が２０００枚になったときには（ＳＰ２６-YES）、この１回（１枚）の製版による印刷を一旦中止させる。
そして、ＳＰ２１に移行し、製版部５での製版動作を再度実行させる。
これにより、１回（１枚）の製版での印刷は、制限枚数で設定した２０００枚迄となる。
ここで、ＳＰ２１での製版後は、スタートキー２ｅが押下されると（ＳＰ２２-YES）開始するものであり、スタートキー２ｅが押下されるまでは待機状態となる。
【００３２】
上記入力された設定印刷枚数は６０００枚であるから、合計３回の製版動作が行なわれることとなり、２０００枚づつの連続印刷を計３回行なって印刷が終了する（ＳＰ１８-YES）。
このように、連続設定キー２ｃが押下された場合、制限枚数に達する毎に印刷を一時停止し、再度の製版を行なう。
【００３３】
上記構成の動作内容は一部変更することができる。
一例として、連続設定キー２ｃがＯＦＦのときに、選択キー２ｄを用いた動作が考えられる。
この選択キー２ｄを用いる場合、ＳＰ２１の前段処理（ＳＰ１４-NO とＳＰ２１の間）で選択キー２ｄの選択状態を判断する判断処理を設ける。
この判断処理では、新たな製版の有無を選択することができる。製版が選択されていれば、ＳＰ２１で新たな製版が実行され、印刷が選択されていればＳＰ２１での製版は実行されずＳＰ２２に移行して印刷待ち状態となる。
【００３４】
この選択キー２ｄが「製版」に選択されている場合には、上記のように制限枚数（２０００枚）毎に、新たな製版が自動実行される。
一方、選択キー２ｄが「印刷」に選択されている場合には、ＳＰ２１の製版を実行する前に一時停止状態となる。
【００３５】
操作者は、この一時停止状態で、印刷後の印刷用紙の画像形成状態を見て新たな製版が必要か否かを判断することができるようになる。
即ち、累積印刷枚数が制限枚数の整数倍に達したとき、この１回（１枚）の製版で更に多くの印刷を行える（あるいは行いたい）と判断したときには、選択キー２ｄで「印刷」を選択することにより、新たな製版を行わずにＳＰ２３以降の印刷動作を実行できるようになる。
このように選択キー２ｄを用いることにより、制限枚数毎の製版の実行、不実行を任意に選択できるようになる。
【００３６】
【発明の効果】
本発明によれば、装置には予め制限枚数が設定される。制御手段は、累積印刷枚数が制限枚数の整数倍に達すると、これまで用いていた孔版原紙の使用を止める。そして、新たな孔版原紙を用いて再度同一原稿の画像を製版し印刷する。
このような構成によれば、設定印刷枚数が増大しても印刷用紙に印刷される画像を常に良好な画質で得ることができるようになる。
【図面の簡単な説明】
【図１】本発明の孔版印刷装置の構成を示すブロック図。
【図２】装置のパネル部を示す図。
【図３】制限モードの設定動作を示すフロ−チャ−ト。
【図４】制限モード（連続設定ＯＮ時）の動作を示すフロ−チャ−ト（その１）。
【図５】制限モード（連続設定ＯＮ時）の動作を示すフロ−チャ−ト（その２）。
【図６】制限モード（連続設定ＯＦＦ時）の動作を示すフロ−チャ−ト。
【符号の説明】
１…パネル部、２…操作手段、２ａ…テンキー、２ｂ…モード許可キー、２ｃ…連続設定キー、２ｄ…選択キー、２ｅ…スタートキー、２ｆ…ストップキー、３…表示手段、３ａ…第１表示部、３ｂ…第２表示部、４…制御手段、４ａ…ＣＰＵ、４ｂ…ＲＯＭ、４ｃ…ＲＡＭ、５…製版部、６…印刷部。
【図１】
0003798909.tif 000002
【図２】
0003798909.tif 000003
【図３】
0003798909.tif 000004
【図４】
0003798909.tif 000005
【図５】
0003798909.tif 000006
【図６】
0003798909.tif 000007